(57)【要約】【課題】  発光素子をマトリクス状に配列したパッシブ駆動型ディスプレイパネルにおいて、回路規模の増大を抑えると共に、発光素子へのプリチャージを効率的に行い、発光素子の発光可能時間を確保することにより、正確に階調表現することのできる自発光表示パネルの駆動装置および駆動方法を提供する。【解決手段】  複数のドライブ線および複数の走査線の各交差位置に発光素子Ｅを配し、走査対象となる走査線に対応する前記発光素子Ｅに対して前記ドライブ線を介して電流源ＣＩから選択的に駆動電流を供給するパッシブ駆動型表示パネルの駆動装置であって、前記電流源ＣＩは、発光素子Ｅの寄生容量を充電する定電流を発光素子Ｅに供給するプリチャージ電流供給手段と、発光素子Ｅを発光駆動させる定電流を発光素子Ｅに供給する駆動電流供給手段とを備え、前記プリチャージ電流供給手段から供給される定電流により素子間電圧値が発光しきい値Ｖｔｈまで昇圧した発光素子Ｅを、前記駆動電流供給手段から供給される定電流により発光駆動する。【選択図】  図５
2005156859.tif 000002
【特許請求の範囲】
【請求項１】
複数のドライブ線および複数の走査線の各交差位置に発光素子を配し、走査対象となる走査線に対応する前記発光素子に対して前記ドライブ線を介して電流源から選択的に駆動電流を供給するパッシブ駆動型表示パネルの駆動装置であって、
前記電流源は、発光素子の寄生容量を充電する定電流を発光素子に供給するプリチャージ電流供給手段と、発光素子を発光駆動させる定電流を発光素子に供給する駆動電流供給手段とを備え、
前記プリチャージ電流供給手段から供給される定電流により素子間電圧値が発光しきい値まで昇圧した発光素子を、前記駆動電流供給手段から供給される定電流により発光駆動することを特徴とする自発光表示パネルの駆動装置。
【請求項２】
前記プリチャージ電流供給手段により供給される定電流の値は、前記駆動電流供給手段により供給される定電流の値よりも大きく設定されることを特徴とする請求項１に記載された自発光表示パネルの駆動装置。
【請求項３】
前記駆動電流供給手段の動作期間において、時間階調制御を行い階調表示することを特徴とする請求項１または請求項２に記載された自発光表示パネルの駆動装置。
【請求項４】
前記プリチャージ電流供給手段によって定電流を発光素子に供給するプリチャージ期間は、発光素子への定電流供給開始から前記発光素子が発光するまでの期間であることを特徴とする請求項１乃至請求項３のいずれかに記載された自発光表示パネルの駆動装置。
【請求項５】
前記プリチャージ電流供給手段により定電流が供給されるドライブ線の電位を測定する電位測定手段をさらに有し、前記電位測定手段が測定した電位によって前記プリチャージ期間を決定することを特徴とする請求項４に記載された自発光表示パネルの駆動装置。
【請求項６】
前記発光素子は、有機ＥＬ素子であることを特徴とする請求項１乃至請求項５のいずれかに記載された自発光表示パネルの駆動装置。
【請求項７】
複数のドライブ線および複数の走査線の各交差位置に発光素子を配し、走査対象となる走査線に対応する前記発光素子に対して前記ドライブ線を介して電流源から選択的に駆動電流を供給するパッシブ駆動型表示パネルの駆動方法であって、
前記電流源が有するプリチャージ電流供給手段により、素子間電圧値が発光しきい値まで昇圧するよう発光素子に定電流を供給した後、
前記電流源が有する駆動電流供給手段により、発光素子が発光駆動するよう発光素子に定電流を供給することを特徴とする自発光表示パネルの駆動方法。
【請求項８】
前記プリチャージ電流供給手段により供給される定電流の値は、前記駆動電流供給手段により供給される定電流の値よりも大きく設定されることを特徴とする請求項７に記載された自発光表示パネルの駆動方法。
【請求項９】
前記駆動電流供給手段の動作期間において、時間階調制御を行い階調表示することを特徴とする請求項７または請求項８に記載された自発光表示パネルの駆動方法。
【請求項１０】
前記プリチャージ電流供給手段によって定電流を発光素子に供給するプリチャージ期間は、発光素子への定電流供給開始から前記発光素子が発光するまでの期間であることを特徴とする請求項７乃至請求項９のいずれかに記載された自発光表示パネルの駆動方法。
【請求項１１】
前記プリチャージ電流供給手段により定電流が供給されるドライブ線の電位を電位測定手段により測定し、前記電位測定手段が測定した電位により前記プリチャージ期間を決定することを特徴とする請求項１０に記載された自発光表示パネルの駆動方法。
【発明の詳細な説明】
【技術分野】
【０００１】
本発明は、有機ＥＬ（エレクトロルミネッセンス）等の自発光素子を用いた自発光表示パネルの駆動装置および駆動方法に関する。
【背景技術】
【０００２】
発光素子をマトリクス状に配列して構成される表示パネルを用いたディスプレイの開発が広く進められている。このような表示パネルに用いられる発光素子として、例えば有機材料を発光層に用いた有機ＥＬ（エレクトロルミネッセンス）素子が注目されている。
【０００３】
かかる有機ＥＬ素子を用いた表示パネルとして、複数の陽極線と陰極線とをマトリクス状に配置し、その交点位置に有機ＥＬ素子を接続配列したパッシブ駆動型表示パネルがある。このパッシブ駆動型表示パネルは、画素毎に能動素子を設ける必要がなく、低価格化が容易であり、一部の商品において実用化されている。
【０００４】
前記した有機ＥＬ素子は、電気的には図１のような等価回路で表すことができる。すなわち、有機ＥＬ素子は、ダイオード成分からなる発光エレメントＥと、この発光エレメントに並列に結合する寄生容量成分Ｃp とによる構成に置き換えることができ、有機ＥＬ素子は容量性の発光素子であると考えられている。
【０００５】
この有機ＥＬ素子は、発光制御電圧が印加されると、先ず、当該素子の電気容量に相当する電荷が電極に変位電流として流れ込み蓄積される。続いて当該素子固有の一定の電圧（発光しきい値電圧＝Ｖth）を越えると、電極（ダイオード成分Ｅのアノード側）から発光層を構成する有機層に電流が流れ初め、この電流に比例した強度で発光すると考えることができる。
【０００６】
図２は、このような有機ＥＬ素子の発光静特性を示したものである。これによれば、有機ＥＬ素子は図２（ａ）に示すように、駆動電流（Ｉ）にほぼ比例した輝度（Ｌ）で発光し、図２（ｂ）に示すように駆動電圧（Ｖ）が発光しきい値電圧（Ｖth）以上の場合において急激に電流（Ｉ）が流れて発光する。換言すれば、駆動電圧が発光しきい値電圧（Ｖth）以下の場合には、ＥＬ素子には電流は殆ど流れず発光しない。したがってＥＬ素子の輝度特性は、図２（ｃ）に実線で示すように前記しきい値電圧（Ｖth）より大なる発光可能領域においては、それに印加される電圧（Ｖ）の値が大きくなるほど、その発光輝度（Ｌ）が大きくなる特性を有している。
【０００７】
ところで、このパッシブ駆動型表示パネルにおいて階調表示を行う方式として、従来から時間階調制御方式がある。この時間階調制御方式とは、発光素子を定電流駆動して発光させると共に、その発光時間を制御することにより階調表現する方式である。しかしながら、この時間階調制御方式においては、前記したような有機ＥＬ素子が有する容量性に起因して、次のような問題があった。すなわち、パッシブ駆動においては、前記したように先ず発光素子の寄生容量に電荷が変位電流として蓄積され、その後に発光が開始される。このため、素子への充電（以下、プリチャージと呼ぶ）を行わないと、発光素子の素子間電圧が発光しきい値まで昇圧するのに時間を要し、素子の発光が不十分となる。
【０００８】
したがって、前記時間階調制御方式においては、プリチャージを行わない場合には各発光素子の発光時間の制御を正確に行うことができないという問題が生じていた。しかしながら、このような問題を解決するものとして発光素子に対して発光開始直前に定電圧を供給し、発光素子の寄生容量にプリチャージする方法（便宜的に定電圧プリチャージ法と呼ぶ）がある。
【０００９】
図３は、前記の定電圧プリチャージ法を用いたパッシブ駆動型表示パネルの駆動装置の回路構成例である。図３において、陽極線Ａ1〜Ａmと陰極線Ｂ1〜Ｂnとがマトリクス状に配置され、その各交点位置に有機ＥＬ素子である発光素子Ｅ1,1〜Ｅm,nが接続されている。この回路構成においては、陽極線Ａをデータ線とし、陰極線Ｂを走査線として、陰極線Ｂを一定の時間間隔で順次選択して走査すると共に、この走査に同期して陽極線を定電流源Ｃ1〜Ｃmでドライブすることにより、任意の交点位置の発光素子Ｅが発光する。なお、各定電流源Ｃからは駆動電流として、定電流Ｉが供給されている。
【００１０】
さらに図３の回路構成について詳しく説明する。陰極線走査回路１は、各陰極線Ｂ1〜Ｂnを順次に走査する走査スイッチ５1〜５nを備え、各走査スイッチ５の一端には逆バイアス電圧Ｖｍが供給され、他方の端子はグランドに夫々接地されている。また、陽極ドライブ回路２は、駆動源である定電流源Ｃ1〜Ｃmと、各陽極線Ａ1〜Ａmを選択するドライブスイッチ６1〜６mとを備えている。各ドライブスイッチ６は、３つの接点切替スイッチを用いており、第１の接点はリセット時または階調制御に用いる電圧源ＡＶＬ（グランド接地）に、第２の接点は定電流源Ｃに、第３の接点はプリチャージ電圧を印加する電圧源ＡＶＭに夫々接続されている。そして、前記走査スイッチ５、ドライブスイッチ６の夫々におけるオン・オフ操作は、発光制御回路４によって制御されるように構成されている。
【００１１】
このような回路構成において、図３に示すように例えば発光素子Ｅ1,1およびＥ3,1を発光させる場合には、次のようにスイッチ操作が行われる。先ず、走査スイッチ５1がグランド電位側に切替えられ、陰極線Ｂ1が走査される。一方、陽極線Ａ1とＡ3には、ドライブスイッチ６1と６3によって電流源Ｃ1とＣ3が夫々接続される。
【００１２】
また、陰極線Ｂ2〜Ｂnには、走査スイッチ５2〜５nにより逆バイアス電圧Ｖｍが印加され、ドライブスイッチ６2および６4〜６mは第一の接点に切替えられて電圧源ＡＶＬに接続される。すなわち、Ｅ1,1とＥ3,1のみが順方向にバイアスされて発光し、他の発光素子はドライブスイッチ６のスイッチングによって電流源Ｃから定電流が供給されないために発光しないか、逆バイアスの電流が供給されるか、または正の電荷が充電されるかのいずれかの状態となっている。
【００１３】
また、この回路構成においては、ライン走査期間終了後、次のライン走査に移行するまでの間、プリチャージ電圧の印加が行われる。このプリチャージ電圧の印加時において、陰極線Ｂ1に接続された発光素子を充電する場合、図４に示すように走査スイッチ５1により陰極線Ｂ1が接地され、走査スイッチ５2〜５nにより陰極線Ｂ2〜Ｂnが逆バイアス電圧Ｖｍに接続される。また、ドライブスイッチ６1〜６mによりすべての陽極線Ａ1〜Ａmが電圧源ＡＶＭに接続される。このとき、各発光素子Ｅの寄生容量には、前記電圧源ＡＶＭから正の電荷が充電されるため、次の走査における発光素子の発光が瞬時に行なわれる。このように、この定電圧プリチャージ法を用いることによって、すべての発光素子の発光が素早く行われるため、定電流駆動による各発光素子の発光時間を制御することにより、正確に時間階調制御を行うことができる。
【００１４】
なお、前記した電圧源ＡＶＭを定電圧に限定せず、個々の素子の特性に応じて陽極線（ドライブ線）毎に印加する電圧を変える構成とした場合（可変電圧プリチャージ法）には、発光素子の発光時間制御をより正確に行うことができる。このような可変電圧または定電圧プリチャージ法については、例えば特許文献１にも開示されている。
【特許文献１】特開平１１―１４３４２９号公報（段落００３４乃至段落００４９、図１乃至図５）
【発明の開示】
【発明が解決しようとする課題】
【００１５】
ところで、図３、図４に示した回路構成では、前記したように陽極ドライブ回路２において、ドライブ線である陽極線毎に、駆動源である定電流源Ｃを備えると共に、３つの接点切替スイッチを有するドライブスイッチ６を備えている。また、図示しないが、実際の回路構成においては、これらの他にも、定電流源Ｃの電圧源であるＡＶＨからＡＶＭの電圧を生成する回路等が必要である。したがって、陽極ドライブ回路２の実際の回路構成としてはより複雑なものとなり、ＩＣのゲート数および回路面積が大きくなるという別の課題が生じていた。
【００１６】
一方、パッシブ駆動型表示パネルにおいて階調表示する方式としては、前記した時間階調制御方式の他に、発光素子に供給する電流量を制御することにより階調表現を行う方式（便宜的に電流階調制御方式と呼ぶ）がある。その回路構成としては、例えば、ドライブ線毎に複数の定電流源を有し、選択的に個々の電流源をオン・オフ操作することによりドライブ線に供給する電流値を変える構成（図示せず）や、ドライブ線毎にＤ／Ａコンバータを有し、電流値を変える構成（図示せず）等がある。しかしながら、この電流階調制御方式の回路構成においても、ドライブ線毎の複数の電流源またはＤ／Ａコンバータのばらつきを抑えることが困難であると共に、回路規模が複雑で大きくなり、回路面積、消費電力、コスト等の面で課題があった。
【００１７】
この発明は、前記した技術的な問題点に着目してなされたものであり、発光素子をマトリクス状に配列したパッシブ駆動型表示パネルにおいて、回路規模の増大を抑えると共に、発光素子へのプリチャージを効率的に行い、発光素子の発光可能時間を確保することにより、正確に階調表現することのできる自発光表示パネルの駆動装置および駆動方法を提供することを課題とするものである。
【課題を解決するための手段】
【００１８】
前記課題を解決するためになされた本発明にかかる自発光表示パネルの駆動装置は、請求項１に記載のとおり、複数のドライブ線および複数の走査線の各交差位置に発光素子を配し、走査対象となる走査線に対応する前記発光素子に対して前記ドライブ線を介して電流源から選択的に駆動電流を供給するパッシブ駆動型表示パネルの駆動装置であって、前記電流源は、発光素子の寄生容量を充電する定電流を発光素子に供給するプリチャージ電流供給手段と、発光素子を発光駆動させる定電流を発光素子に供給する駆動電流供給手段とを備え、前記プリチャージ電流供給手段から供給される定電流により素子間電圧値が発光しきい値まで昇圧した発光素子を、前記駆動電流供給手段から供給される定電流により発光駆動することに特徴を有する。
【００１９】
また、前記課題を解決するためになされた本発明にかかる自発光表示パネルの駆動方法は、請求項７に記載のとおり、複数のドライブ線および複数の走査線の各交差位置に発光素子を配し、走査対象となる走査線に対応する前記発光素子に対して前記ドライブ線を介して電流源から選択的に駆動電流を供給するパッシブ駆動型表示パネルの駆動方法であって、前記電流源が有するプリチャージ電流供給手段により、素子間電圧値が発光しきい値まで昇圧するよう発光素子に定電流を供給した後、前記電流源が有する駆動電流供給手段により、発光素子が発光駆動するよう発光素子に定電流を供給することに特徴を有する。
【発明を実施するための最良の形態】
【００２０】
以下、この発明にかかる自発光表示パネルの駆動装置および駆動方法について、図に示す実施の形態に基づいて説明する。尚、以下の説明においてはすでに説明した図３および図４に示された各部に相当する部分を同一符号で示しており、したがって個々の機能および動作については適宜説明を省略する。
【００２１】
図５は本発明にかかる自発光表示パネルの駆動装置の一例として、パッシブ駆動型表示パネルおよびその駆動装置の一実施形態を示したものである。なお、本実施の形態においては、陽極線をドライブ線とし、陰極線を走査線とする構成とする。図５に示す回路構成は、図３、図４で示したパッシブ駆動型表示パネルの駆動装置における陽極ドライブ回路２に換え、陽極線からの発光素子Ｅの駆動制御を陽極ドライブ回路７により実現した点で図３、図４の形態と異なる。この陽極ドライブ回路７は、発光素子の駆動源である定電流源ＣＩ1〜ＣＩmと、各陽極線Ａ1〜Ａmを選択するドライブスイッチ８1〜８mとを備えている。各ドライブスイッチ８は、２つの接点切替スイッチを用いており、第１の接点はリセット時または階調制御に用いる電圧源ＡＶＬ（グランド接地）に、第２の接点は定電流源ＣＩに夫々接続されている。そして、走査スイッチ５、ドライブスイッチ８の夫々におけるオン・オフ操作は、発光制御回路４によって制御されるように構成されている。
【００２２】
本発明にかかる駆動装置および駆動方法においては、発光素子のプリチャージは発光素子に定電圧を印加するのではなく、定電流を供給するようになされる。そして、前記した各定電流源ＣＩは、プリチャージ期間においては発光素子へのプリチャージ用の定電流を出力する（プリチャージ電流供給手段）一方で、発光期間においては発光素子への発光駆動用の定電流を出力する（駆動電流供給手段）よう構成されている。この定電流源ＣＩを含む陽極ドライブ回路７について、さらに図６に基づき説明する。
【００２３】
図６に示す陽極ドライブ回路７の回路構成において、制御側トランジスタＱ0が配置され、このトランジスタＱ0のベースと各定電流源ＣＩ内のトランジスタＱ1〜Ｑmのベースとが接続されている。また、トランジスタＱ0のエミッタ側は抵抗Ｒ1を介して電圧源ＡＶＨに接続され、コレクタ側はベースに直接接続されると共に、直列接続された抵抗Ｒ2、Ｒ3を介してグランド接地されている。
【００２４】
さらに前記抵抗Ｒ3の両端には、制御用トランジスタであるＦＥＴ１０のソースＳおよびドレインＤが夫々接続され、抵抗Ｒ3に流れる電流のオン・オフ制御を行うようになされている。すなわち、このＦＥＴ１０のゲートＧには、前記発光制御回路４からの制御信号（電圧制御）が入力され、この制御信号により発光素子Ｅのプリチャージ期間と定電流駆動期間（発光期間）とでゲートのオン・オフが切り替えられる。
【００２５】
具体的には、発光素子Ｅのプリチャージ期間には電流は抵抗Ｒ3を流れずバイパスし、発光素子Ｅの定電流駆動期間には、電流は抵抗Ｒ3を流れるように構成されている。すなわちＦＥＴ１０のオン・オフ制御動作によりトランジスタＱ0のコレクタ抵抗値が変化し、これに応じてトランジスタＱ0のコレクタ電流（吸い込み電流）が決定されるようになされている。したがって、この吸い込み電流に応じて各トランジスタＱ1〜Ｑmのベース・エミッタ間電圧が変化し、これにより各陽極線Ａ1〜Ａmに供給される電流値（コレクタ電流）が決定されるようになされている。なお、本実施の形態においては、発光素子の寄生容量にプリチャージを行う際に各陽極線Ａに供給される電流値が、発光素子の定電流駆動時に供給される電流値の略２倍となるよう、抵抗Ｒ1〜Ｒ3の各抵抗値が設定されている。
【００２６】
続いて、このように構成されたパッシブ駆動型表示パネルの駆動装置の動作について説明する。図７は１ラインの走査期間における発光駆動動作のタイミングを示す図である。図７（ａ）に示すように、１ライン走査期間において、発光素子Ｅに対してはリセット、プリチャージ、定電流駆動（発光）がドライブスイッチ８の切替走査により夫々行われる。なお、図７（ａ）においては、リセット後にプリチャージ、定電流駆動が行われるが、リセット操作は定電流駆動後に行ってもよい。
【００２７】
また、図７（ｂ）に示すように、定電流源ＣＩからの出力電流ＩＯは、定電流駆動時の定電流値をＭ（μＡ）とすれば、プリチャージ期間の定電流値は２Ｍ（μＡ）、すなわち定電流駆動時の２倍の電流値になる。このようにプリチャージ期間の定電流値を定電流駆動時の２倍とすることにより、発光素子における電圧は図７（ｃ）に示すように変化する。すなわち、リセット時においてはＡＶＬ（＝０Ｖ）であるが、プリチャージ期間においては定電流駆動時の２倍の電流が素子に供給されるため素子の電圧がリニアに急上昇する。そして、発光素子Ｅにおける電圧が発光しきい値Ｖｔｈに達したところで、プリチャージ期間から定電流駆動期間に移行し、電流源ＣＩの出力電流ＩＯの値が発光時の定電流値（電圧はＶＦに一定）に切り替わる。
【００２８】
なお、図示しないが、ドライブ線である陽極線の電位を測定する電位測定手段を設け、この電位測定手段が測定した電位が発光素子Ｅの発光しきい値電圧Ｖｔｈに達したときに、プリチャージ期間を終了し、定電流駆動に移行するようにすることが望ましい。このように構成することによって、素子の特性に応じてプリチャージ期間を決定することができ、より発光素子Ｅの発光効率を向上することができる。
【００２９】
もし、前記のプリチャージ期間を設けずに、リセット後に定電流駆動に移行する場合、発光素子の素子間電圧が発光しきい値Ｖｔｈに達するまでに時間を要する。しかしながら、前記したようにプリチャージ期間を設け、この期間に定電流駆動時の２倍の定電流を発光素子に供給することによって、発光素子の電圧を急速に発光しきい値電圧Ｖｔｈにまで昇圧することができ、定電流駆動時においては、即時に発光素子Ｅを発光させることができる。
【００３０】
また、このような回路構成の駆動装置においては、発光素子Ｅの発光駆動は定電流駆動により行うため、その階調表現は時間階調方式により行う。図８に１ライン期間における階調表示の駆動タイミングを示す。図８（ａ）に示すタイミングを最高階調時の駆動タイミングとすれば、その２分の１階調を表現する場合には、図８（ｂ）に示すように素子発光時の定電流駆動期間が時間的に図８（ａ）の定電流駆動期間の半分の期間とされる。この場合、１ライン期間において、定電流駆動を停止してから次のリセット期間までの間（ドライブオフ）は、電流を発光素子Ｅに供給しないように制御される。すなわち、ドライブスイッチ８により陽極線ＡがＡＶＬに接続される。前記したように、各発光素子Ｅの寄生容量には、プリチャージ電流により、その電圧が発光しきい値Ｖｔｈにまで昇圧している。このため、定電流駆動期間においては即時に素子を発光させることができ、発光効率が向上し、階調制御を正確に行うことができる。
【００３１】
なお図５に示すように、発光素子Ｅ1,1およびＥ3,1を発光させる場合には、次のようにスイッチ操作が行われる。先ず、走査スイッチ５1がグランド電位側に切替えられ、陰極線Ｂ1が走査される。一方、陽極線Ａ1とＡ3とは、ドライブスイッチ８1と８3によってＡＶＬに一旦接続され、発光素子Ｅ1,1およびＥ3,1がリセットされた後、定電流源ＣＩ1とＣＩ3とが夫々接続される。
【００３２】
ここで、発光素子Ｅ1,1およびＥ3,1には、定電流源ＣＩ1とＣＩ3とにより定電流駆動時の２倍の電流値の定電流が供給され、プリチャージが行われる。そして、定電流源ＣＩ1とＣＩ3によるプリチャージ期間の定電流供給は、発光素子Ｅ1,1およびＥ3,1の電圧が発光しきい値Ｖｔｈに達した時点で終了し、その後定電流駆動に切り替わり、定電流源ＣＩ1とＣＩ3から駆動電流が発光素子に供給され素子が発光する。
【００３３】
一方、陰極線Ｂ2〜Ｂnには、走査スイッチ５2〜５nにより逆バイアス電圧が印加され、ドライブスイッチ８2および８4〜８mは第一の接点に切替えられてＡＶＬに接続される。すなわち、Ｅ1,1とＥ3,1のみが順方向にバイアスされて発光し、他の発光素子はドライブスイッチ８のスイッチングによって定電流源ＣＩから定電流が供給されないために発光しないか、逆バイアスの電流が供給されるか、または正の電荷が充電されるかのいずれかの状態となる。
【００３４】
以上説明した本実施の形態によれば、１ライン走査期間にプリチャージ期間を設け、この期間に定電流駆動時よりも大きい電流値の定電流を発光素子に供給することにより発光素子を急速にプリチャージ可能であり、よって素子を即時に発光させることができ、発光素子の発光可能時間を確保することができる。また、定電流駆動による各発光素子の発光時間を制御することにより、正確に時間階調制御を行うことができる。
【００３５】
さらに、図５、図６に示した陽極ドライブ回路７および定電流源ＣＩの回路構成は、図３、図４に示した陽極ドライブ回路２の構成に比べ、スイッチの数、電圧源の数等を削減でき、回路面積の増大を抑えることができる。また、ドライブ線毎に複数の定電流源あるいはＤ／Ａコンバータが必要な電流階調方式の回路構成よりも、回路構成を大幅に簡素化することができる。すなわち、本発明に係る駆動装置および駆動方法によれば、従来の定電圧プリチャージを用いた時間階調方式、あるいは電流階調方式による回路構成よりも、ＩＣのゲート数をより削減でき、回路面積の増大を抑制することができる。また、これにより消費電力、コスト面についてもより低減することができる。
【００３６】
なお、前記した実施の形態においては、発光素子へのプリチャージ時の定電流を定電流駆動時の定電流の２倍の設定としたが、この倍率に限定されるものではない。例えば、この倍率は、様々な解像度、様々な発光効率の表示パネルに対応するため、より大きい倍率に設定し、より急速に発光素子の寄生容量にプリチャージできるようにしてもよい。また、図６に示した回路構成は一例であって、定電流駆動時に駆動電流を出力すると共に、定電流駆動前のプリチャージ期間に定電流駆動時より大きな値の定電流を出力する回路構成であればよい。また、本実施の形態においては、陽極線をドライブ線とし、陰極線を走査線とする構成としたが、本発明に係る駆動装置および駆動方法にあっては、陰極線をドライブ線とし、陽極線を走査線とする構成でもよい。
【図面の簡単な説明】
【００３７】
【図１】有機ＥＬ素子の電気的な構成を示した等価回路図である。
【図２】有機ＥＬ素子の電気的な静特性を説明する特性図である。
【図３】従来のパッシブ駆動型表示パネルの駆動装置の例を示した結線図である。
【図４】図３に示すパッシブ駆動型表示パネルの駆動装置の動作状態を示す結線図である。
【図５】本発明の一実施形態に係るパッシブ駆動型表示パネルを示す結線図である。
【図６】図５のパッシブ駆動型表示パネルの駆動装置が備える定電流源の回路構成の一例を示す結線図である。
【図７】図５のパッシブ駆動型表示パネルの駆動装置の動作タイミングの一例を示すタイミング図である。
【図８】図５のパッシブ駆動型表示パネルの駆動装置の動作タイミングの一例を示すタイミング図である。
【符号の説明】
【００３８】
１        陰極線走査回路
４        発光制御回路
５        走査スイッチ
７        陽極ドライブ回路
８        ドライブスイッチ
Ａ        陽極線
Ｂ        陰極線
ＣＩ      定電流源
Ｅ        発光素子
【図１】
2005156859.tif 000003
【図２】
2005156859.tif 000004
【図３】
2005156859.tif 000005
【図４】
2005156859.tif 000006
【図５】
2005156859.tif 000007
【図６】
2005156859.tif 000008
【図７】
2005156859.tif 000009
【図８】
2005156859.tif 000010